(57)【要約】      （修正有）【課題】構造が簡単で、空間を節約するだけでなく、且つ材積が更に縮小することから各種一般容器に適用するだけでなく、更に小さい形状の容器にも適用し、適用範囲が広がる容器負圧生成の容器蓋を提供する。【解決手段】容器負圧生成の容器蓋は、回転部品１が回転した時、接合した第一ガイド台４と第二ガイド台５に成形された複数のガイド柱４１と第一連続波形ガイドレール５１のナビゲーションによって、該第二ガイド台５が連接した抽気ピストン６１を連動し，ピストン台６２のピストン槽６２１に相対して軸方向に上下往復運動し，ピストン台６２の抽気槽６２２を通して容器内の空気を抽出し，容器を負圧状態にして長時間の密封を達成する。【選択図】図１
0003211110.tif 000002
【実用新案登録請求の範囲】
【請求項１】
外蓋に回転連接し、第一ガイド台を接合する回転部品と、
内蓋と接合固定し、他に連動制限ガイド槽を軸向きに複数設置する外蓋と、
外蓋との間にガスケットを接合し、前記の接合した外蓋と共に容器の開口に蓋閉じし、密封効果を備える内蓋と、
第一ガイド台及び第二ガイド台の間にガイド柱及び第一連続波形ガイドレールをそれぞれ設置し、前記第一ガイド台を前記回転部品に従って回転連動した時、前記第二ガイド台を相対して軸方向に連続上下往復運動させ，前記第二ガイド台は、抽気ピストンを接合し、且つ前記第二ガイド台には上レール台を設置し、前記上レール台は第二ガイド台を伴い、前記抽気ピストンと接合固定し、且つ前記上レール台は第二連続波形ガイドレールを設置し、前記第二連続波形ガイドレールは前記第一ガイド台及び第二ガイド台に成形した複数のガイド柱と第一連続波形ガイドレールのナビゲーションによって、動作が更に安定スムーズになり、前記上レール台の第二連続波形ガイドレールは、複数組の低点位置と複数組の高点位置を含み、そのうち低点位置は、徐々に高くなって高点位置まで延び，更に高点位置から徐々に低くなって低点位置まで延びて第二連続波形ガイドレールを構成し、前記第二ガイド台の第一連続波形ガイドレールは複数組の低点位置と複数組の高点位置を含み、そのうち低点位置は、徐々に高くなって高点位置まで延び，更に高点位置から徐々に低くなって低点位置まで延びて前記第一連続波形ガイドレールを構成する第一ガイド台及び第二ガイド台と、
複数の制限凸を設置し、前記における外蓋の複数の軸向き連動制限ガイド槽に従って上下運動し、ピストン台のピストン槽で軸方向に上下往復運動するのに用い、外環形槽を備え、そこに第一ゴムワッシャーを嵌合する抽気ピストンと、
前記外蓋と接合固定し、ピストン槽を備え、前記ピストン槽に前記の抽気ピストンを相対させ、軸向きに上下往復運動し、他に第二ゴムワッシャーを設置し、且つ下方には抽気槽を連通し、且つ前記抽気槽はチェックバルブを設置するピストン台を含む容器負圧生成の容器蓋において、
それらによって、前記回転部品が回転すると、接合した第一ガイド台と第二ガイド台に成形した複数のガイド柱と第一連続波形ガイドレールのナビゲーションによって、前記第二ガイド台が連接した抽気ピストンを連動し，前記ピストン台のピストン槽に相対して軸方向に上下往復運動し，ピストン台の抽気槽を通して容器内の空気を抽出することを特徴とする容器負圧生成の容器蓋。
【請求項２】
前記外蓋は、減圧槽を設置してもよく、且つ内蓋にも対応して貫通孔を設置し，前記減圧槽は減圧バルブ桿に設置した漏止めワッシャーによって塞がれるか、もしくは外され，前記減圧バルブ桿と減圧槽の間には第二弾性部品を設置し，前記容器蓋を蓋した容器が負圧状態下で減圧バルブ桿を支持することで前記漏止めワッシャーが減圧槽を塞ぎ続け、更に前記減圧バルブ桿は上、下貫通した内通道を成形し、前記内通道の下端は前記減圧槽下方と連通し，前記減圧バルブ桿の上方ナットカバー・クッションを固定し，且つ前記ナットカバー・クッションの本体の上方中間に更に上凸部を備えることを特徴とする請求項１記載の容器負圧生成の容器蓋。
【請求項３】
前記ピストン台は、減圧槽を設置してもよく，減圧槽は減圧バルブ桿に設置した漏止めワッシャーによって塞がれるか、もしくは外され，前記減圧バルブ桿と減圧槽の間には第二弾性部品を設置し，前記容器蓋を蓋した容器が負圧状態下で減圧バルブ桿を支持することで前記漏止めワッシャーが減圧槽を塞ぎ続け，且つ前記減圧バルブ桿は上、下貫通した内通道を成形し，前記内通道の下端は、減圧槽下方と連通し、前記減圧バルブ桿の上方ナットカバー・クッションを固定し，且つ前記減圧バルブ桿の上方は前記回転部品が対応設置した穿孔部位に位置することを特徴とする請求項１記載の容器負圧生成の容器蓋。
【請求項４】
前記回転部品は、つまみであり、前記つまみは前記外蓋に回転連接するか，もしくは前記回転部品はモーターモジュールであり，そして前記モーターモジュールは前記第一ガイド台に接合することを特徴とする請求項１記載の容器負圧生成の容器蓋。
【請求項５】
外蓋に回転連接し、第一ガイド台を接合する回転部品と、
内蓋と接合固定し、他に連動制限ガイド槽を軸向きに複数設置する外蓋と、
外蓋との間にガスケットを接合し、前記の接合した外蓋と共に容器の開口に蓋閉じして密封効果を備える内蓋と、
第一ガイド台及び第二ガイド台の間にガイド柱及び第一連続波形ガイドレールをそれぞれ設置し，前記第一ガイド台を前記回転部品に従って回転連動した時、前記第二ガイド台を相対して軸方向に連続上下往復運動させ，前記第二ガイド台は抽気ピストンを接合し、且つ前記第二ガイド台の第一連続波形ガイドレールは複数組の低点位置と複数組の高点位置を含み、そのうち低点位置は徐々に高くなって高点位置まで延び，次に高点位置から徐々に低くなって低点位置まで延び、前記第一連続波形ガイドレールを構成する第一ガイド台及び第二ガイド台と、
複数の制限凸を設置し、前記における外蓋の複数の軸向き連動制限ガイド槽に従って上下運動し、ピストン台のピストン槽で軸方向に上下往復運動するのに用い、外環形槽を備え、そこに第一ゴムワッシャーを嵌合する抽気ピストンと、
前記外蓋と接合固定し、ピストン槽を備え、前記ピストン槽に前記の抽気ピストンを相対させ、軸向きに上下往復運動し、他に第二ゴムワッシャーを嵌合し、下方は抽気槽を連通し、且つ前記抽気槽はチェックバルブを設置し、且つ前記抽気ピストンとの間には第一弾性部品を設置するピストン台を含む容器負圧生成の容器蓋において、
前記回転部品を回転した時、接合した第一ガイド台と第二ガイド台に成形した複数のガイド柱と第一連続波形ガイドレールのナビゲーションによって、前記第二ガイド台が連接した抽気ピストンを連動し，前記ピストン台のピストン槽に相対して軸方向に上下往復運動し，ピストン台の抽気槽を通して容器内の空気を抽出することを特徴とする容器負圧生成の容器蓋。
【請求項６】
前記外蓋は、減圧槽を設置してもよく，且つ内蓋にも対応して貫通孔を設置し，前記減圧槽は、減圧バルブ桿に設置した漏止めワッシャーによって塞がれるか、もしくは外され，前記減圧バルブ桿と前記減圧槽の間には第二弾性部品を設置し，前記容器蓋を蓋した容器が負圧状態下で減圧バルブ桿を支持することで前記漏止めワッシャーが前記減圧槽を塞ぎ続け，且つ前記減圧バルブ桿は上、下貫通した内通道を成形し，前記内通道の下端は前記減圧槽下方と連通し，前記減圧バルブ桿の上方ナットカバー・クッションを固定し，且つ前記ナットカバー・クッションの本体の上方中間に更に上凸部を備えることを特徴とする請求項５記載の容器負圧生成の容器蓋。
【請求項７】
前記ピストン台は、減圧槽を設置してもよく、前記減圧槽は減圧バルブ桿に設置した漏止めワッシャーによって塞がれるか、もしくは外され，前記減圧バルブ桿と前記減圧槽の間には第二弾性部品を設置し，前記容器蓋を蓋した容器が負圧状態下で減圧バルブ桿を支持することで前記漏止めワッシャーがピストン台の減圧槽を塞ぎ続け，且つ前記減圧バルブ桿は上、下貫通した内通道を成形し，前記内通道の下端は前記減圧槽下方と連通し、前記減圧バルブ桿の上方はナットカバー・クッションを固定し，且つ前記減圧バルブ桿の上方は前記回転部品の対応設置した穿孔部位に位置することを特徴とする請求項５記載の容器負圧生成の容器蓋。
【請求項８】
前記回転部品は、つまみであり、前記つまみは前記外蓋に回転連接するか，もしくは前記回転部品はモーターモジュールであり，そして前記モーターモジュールは前記第一ガイド台に接合することを特徴とする請求項５記載の容器負圧生成の容器蓋。
【請求項９】
外蓋に回転連接し、第一ガイド台を接合する回転部品と、
内蓋と接合固定し、他に連動制限ガイド槽を軸向きに複数設置する外蓋と、
外蓋との間にガスケットを接合し、前記の接合した外蓋と共に容器の開口に蓋閉じして密封効果を備える内蓋と、
第一ガイド台及び第二ガイド台の間にガイド柱及び第一連続波形ガイドレールをそれぞれ設置し，前記第一ガイド台を前記回転部品に従って回転連動した時、前記第二ガイド台を相対して軸方向に連続上下往復運動させ，前記第二ガイド台は抽気ピストンを接合し、且つ前記第二ガイド台は上レール台を組み立て、前記上レール台は第二ガイド台を伴い、前記抽気ピストンと接合固定し、且つ前記上レール台は第二連続波形ガイドレールを設置し、前記第二連続波形ガイドレールは前記第一ガイド台及び第二ガイド台に成形した複数のガイド柱と第一連続波形ガイドレールのナビゲーションによって、動作が更にスムーズになり、前記上レール台の第二連続波形ガイドレールは、複数組の低点位置と複数組の高点位置を含み、そのうち低点位置は、徐々に高くなって高点位置まで延び，更に高点位置から徐々に低くなって低点位置まで延び，第二連続波形ガイドレールを構成し、前記第二ガイド台の第一連続波形ガイドレールは複数組の低点位置と複数組の高点位置を含み、そのうち低点位置は、徐々に高くなって高点位置まで延び，次に高点位置から徐々に低くなって低点位置まで延び、第一連続波形ガイドレールを構成する第一ガイド台及び第二ガイド台と、
複数の制限凸を設置し、前記における外蓋の複数の軸向き連動制限ガイド槽に従って上下運動し、ピストン台のピストン槽で軸方向に上下往復運動するのに用い、外環形槽を備え、そこに第一ゴムワッシャーを嵌合する抽気ピストンと、
前記外蓋と接合固定し、ピストン槽を備え、前記ピストン槽に前記の抽気ピストンを相対させ、軸向きに上下往復運動し、他に第二ゴムワッシャーを嵌合し、且つ下方は抽気槽に連通し、且つ前記抽気槽はチェックバルブを設置し、且つ前記抽気ピストンとの間には第一弾性部品を設置するピストン台を含む容器負圧生成の容器蓋において、
前記回転部品を回転した時、接合した第一ガイド台と第二ガイド台に成形した複数のガイド柱と第一連続波形ガイドレールのナビゲーションによって、第二ガイド台が連接した抽気ピストンを連動し，前記ピストン台のピストン槽に相対して軸方向に上下往復運動し、ピストン台の抽気槽を通して容器内の空気を抽出することを特徴とする容器負圧生成の容器蓋。
【請求項１０】
前記外蓋は、減圧槽を設置してもよく，且つ内蓋にも対応して貫通孔を設置し，前記減圧槽は減圧バルブ桿に設置した漏止めワッシャーによって塞がれるか、もしくは外され，前記減圧バルブ桿と前記減圧槽の間には第二弾性部品を設置し，前記容器蓋を蓋した容器が負圧状態下で減圧バルブ桿を支持することで前記漏止めワッシャーが減圧槽を塞ぎ続け、且つ前記減圧バルブ桿は上、下貫通した内通道を成形し，前記内通道の下端は前記減圧槽下方と連通し、前記減圧バルブ桿の上方ナットカバー・クッションを固定し，且つ前記ナットカバー・クッションの本体の上方中間に更に上凸部を備えることを特徴とする請求項９記載の容器負圧生成の容器蓋。
【請求項１１】
前記ピストン台は、減圧槽を設置してもよく，前記減圧槽は減圧バルブ桿に設置した漏止めワッシャーによって塞がれるか、もしくは外され，前記減圧バルブ桿と前記減圧槽の間には第二弾性部品を設置し，前記容器蓋を蓋した容器が負圧状態下で減圧バルブ桿を支持することで前記漏止めワッシャーがピストン台の減圧槽を塞ぎ続け，且つ前記減圧バルブ桿は上、下貫通した内通道を成形し，前記内通道の下端は前記減圧槽下方と連通し、前記減圧バルブ桿の上方ナットカバー・クッションを固定し，且つ前記減圧バルブ桿の上方は前記回転部品が対応設置した穿孔部位に位置することを特徴とする請求項９記載の容器負圧生成の容器蓋。
【請求項１２】
前記回転部品は、つまみであり、前記つまみは前記外蓋に回転連接するか、もしくは回転部品はモーターモジュールであり、前記モーターモジュールによって前記第一ガイド台を接合することを特徴とする請求項９記載の容器負圧生成の容器蓋。
【考案の詳細な説明】
【技術分野】
【０００１】
本考案は、容器負圧生成の容器蓋に関するもので、容器を蓋した後、回転部品を軸方向に連続して上下往復する抽気構造に係る。
【背景技術】
【０００２】
ワインは、デカンタに入れて飲むことがある。その他、一般の密封容器に食材を入れ保存する。
【先行技術文献】
【特許文献】
【０００３】
【特許文献１】実用新案登録第３２０８３６７号公報
【考案の概要】
【考案が解決しようとする課題】
【０００４】
解決しようとする問題点として、一般的なデカンタ容器内に入れたワインは飲み終わらなかった時、酸化して味に影響を与え、時には腐ってしまうか、もしくは一般容器に入れたドリンクが飲み終わらずに放置して瓶を倒してしまったら非常に残念である。その他、一般の密封容器に食材を入れた場合、容器は負圧状態ではないため、新鮮な時間が非常に短い。
【０００５】
以上から、考案者は、部品が少なく、材積を節約する構造を提供する。一般もしくは比較的小さい各種容器に提要することを前提とし、継続的な研究により、容器負圧生成の容器蓋を提供する必要がある。
【課題を解決するための手段】
【０００６】
本考案は、回転部品が回転した時、接合した第一ガイド台と第二ガイド台に成形された複数のガイド柱と第一連続波形ガイドレールのナビゲーションによって、該第二ガイド台が連接した抽気ピストンを連動し，前記ピストン台のピストン槽に相対して軸方向に上下往復運動し，ピストン台の抽気槽を通して容器内の空気を抽出し，容器を負圧状態にして長時間の密封を達成することを最も主要な特徴とする。
【考案の効果】
【０００７】
本考案の容器負圧生成の容器蓋は、構造が簡単で、空間を節約するだけでなく、且つ材積が更に縮小することから各種一般容器に適用するだけでなく、更に小さい形状の容器にも適用し、適用範囲が広がるという利点がある。
【図面の簡単な説明】
【０００８】
【図１】本考案実施例の立体分解図である。
【図２】本考案実施例の一部部品の立体分解拡大図である。
【図３】本考案実施例の別角度からの立体拡大図である。
【図４】本考案実施例の容器蓋と容器の立体組立断面拡大指示図である。
【図５】本考案実施例の容器蓋と容器の立体分解拡大図である。
【図６】本考案実施例の容器蓋と容器の立体組立拡大図である。
【図７】本考案実施例の容器蓋と容器の組立、且つガイド柱が連続波形ガイドレール低点に位置する断面拡大指示図である。
【図８】本考案実施例の容器蓋と容器の組立、且つガイド柱が連続波形ガイドレール高点に位置する断面拡大指示図である。
【図９】本考案実施例の減圧バルブ桿関連部位の組立断面拡大指示図である。
【図１０】図９が真空状態で組み立てた断面拡大指示図である。
【図１１】図１０の減圧バルブ桿が押圧された後の組立断面拡大指示図である。
【図１２】本考案実施例の実施例で、デカンタ（瓶）容器に蓋閉じした指示図である。
【図１３】本考案実施例の実施例で、上レール台を設置しない組立断面拡大指示図である。
【図１４】本考案実施例の実施例で、バネを設置しない組立断面拡大指示図である。
【図１５】本考案実施例で、減圧バルブ桿が異なる位置に設置を変え、且つ減圧バルブ桿上方が回転部品（つまみ）部位に位置する組立断面拡大指示図である。
【図１６】本考案実施例の第二実施例の組立断面拡大指示図である。
【考案を実施するための形態】
【０００９】
部品の簡素化に依る空間節約だけでなく、更に材積が縮小することに拠って、各種一般容器に適用していたものよりも更に小さい容器に適用し、使用範囲を広げる容器負圧生成の容器蓋を提供することを本考案の主な目的とする。
【００１０】
容器に一定の負圧レベルをかけることで、長時間密封できるようになり、容器内に収納した食物、例として赤ワイン、フルーツジュース、ビスケット、果物、食材の新鮮度が長くなったり、または容器内に収納した物品が湿気や酸化で悪くなるのを防止したりする容器負圧生成の容器蓋を提供することを本考案の次の目的とする。
【実施例１】
【００１１】
図１〜図１１に示すとおり、本考案の実施例の容器蓋は、容器負圧生成の容器蓋を指し、以下を含む。
【００１２】
回転部品１は、当実施例ではつまみであり、該回転部品（つまみ）１は外蓋２に回転連接し、該回転部品（つまみ）１は複数の第一固定部品１１もしくはその他の方式で第一ガイド台４に接合する。
【００１３】
外蓋２は、複数のほぞ（図未提示）及び複数の嵌合槽３３が内蓋３と接合して固定するか、もしくはその他固定部品（図未提示）等その他方式で内蓋３と接合固定する。該外蓋２は、他に連動制限ガイド槽２２  （図８参照）  を軸向きに複数設置する。
【００１４】
内蓋３は、該外蓋２との間にガスケット３０を接合し、該内蓋３を先に接合した外蓋２と共に容器１０（図５〜図８参照）の開口１０１に蓋閉じすることで密封効果を備える。
【００１５】
第一ガイド台４及び第二ガイド台５は、該第一ガイド台４及び第二ガイド台５の間にガイド柱４１及び第一連続波形ガイドレール５１をそれぞれ成形し、該第一ガイド台４を該回転部品（つまみ）１に従って回転連動した時、該第二ガイド台５を相対して軸方向に連続上下往復運動させ、該第二ガイド台５は他に複数の第三固定部品５３、もしくはその他方式で抽気ピストン６１を接合する。
【００１６】
抽気ピストン６１は、複数の制限凸６１３（図２参照）を設置し、該外蓋２の複数の軸向き連動制限ガイド槽２２に従って（図８参照）上下運動する。該抽気ピストン６１はピストン台６２のピストン槽６２１で軸方向に上下往復運動する。該抽気ピストン６１は外環形槽６１１を備え、そこに第一ゴムワッシャー６１２を嵌合する。
【００１７】
ピストン台６２は、複数の第二固定部品３１、もしくはその他接合方式で該外蓋２と接合固定する。該ピストン台６２はピストン槽６２１を備え、該ピストン槽６２１に該抽気ピストン６１を相対させ、軸向きに上下往復運動する。該ピストン台６２は他に第二ゴムワッシャー６５を嵌合設置し、且つ該ピストン台６２下方は抽気槽６２２（他図４、図７〜図８参照）に連通し、且つ該抽気槽６２２にはチェックバルブ６４を設置する。
【００１８】
回転部品（つまみ）１を回転すると、接合した第一ガイド台４と第二ガイド台５に成形された複数のガイド柱４１と第一連続波形ガイドレール５１のナビゲーションにより、該第二ガイド台５が連接した抽気ピストン６１を連動し、該ピストン台６２のピストン槽６２１に相対して軸方向に上下往復運動し（図７〜図８参照）、ピストン台６２の抽気槽６２２を通して容器１０内の空気を抽出し、容器１０を負圧状態にする。更に容器１０内に収納した食物、例としてワイン、ドリンク、果物、ビスケット等各種食材の新鮮度を延ばし、拠って新鮮度を保ち、もしくは容器内に収納した物品が酸化して悪くなるのを防止する。
【００１９】
更に実施例は、第一弾性部品６３を更に設置しても良い。該第一弾性部品６３は、該抽気ピストン６１とピストン台６２のピストン槽６２１の間（図７〜図８参照）に設置する。それにより該抽気ピストン６１の軸向き動作の力が平衡し、抽気動作時の重力に相対し、回復動作時の力が軽くなり、該回転部品（つまみ）１を回転する時、スムーズな動作となる。
【００２０】
その他、該第二ガイド台５は、上レール台５０を組み立ててもよい。該上レール台５０は、該複数の第三固定部品５３もしくはその他接合方式で第二ガイド台５を伴い、該抽気ピストン６１と接合固定する。該上レール台５０は、第二連続波形ガイドレール５０１を設置し、且つ該上レール台５０の第二連続波形ガイドレール５０１は該第一ガイド台４及び第二ガイド台５に複数のガイド柱４１と第一連続波形ガイドレール５１を設置することによって動作が更に安定してスムーズになる。
【００２１】
また、図２に示すとおり、該第二ガイド台５の第一連続波形ガイドレール５１は、複数組の低点位置５１１と複数組の高点位置５１２を含む。そのうち低点位置５１１は、徐々に高くなって高点位置５１２まで延び、次に高点位置５１２は徐々に低くなって低点位置５１１まで延び、該第一連続波形ガイドレール５１を構成する。
【００２２】
その他、図２に示すとおり、該上レール台５０の第二連続波形ガイドレール５０１は、複数組の低点位置５０１１と複数組の高点位置５０１２を含む。そのうち、低点位置５０１１は、徐々に高くなって高点位置５０１２まで延び、更に高点位置５０１２から徐々に低くなって低点位置５０１１まで延び、該第二連続波形ガイドレール５０１を構成する。
【００２３】
更に、図９〜図１１に示すとおり、該外蓋２は、減圧槽２１（図９参照）を設置してもよく、且つ内蓋３も対応して貫通孔３２（図９参照）を穿設する。該外蓋２の減圧槽２１は、減圧バルブ桿７に設置した漏止めワッシャー７１によって塞がれるか（図９〜図１０参照）、もしくは外され（図１１参照）、該減圧バルブ桿７と該外蓋２の減圧槽２１の間には第二弾性部品７０を設置し、該容器蓋を蓋した容器１０が負圧状態下で減圧バルブ桿７（図１０参照）を支持することで該漏止めワッシャー７１が外蓋２の減圧槽２１を塞ぎ続ける。更に該減圧バルブ桿７が下向きに押圧されると（図１１参照）、該漏止めワッシャー７１と外蓋２の減圧槽２１の間隙に減圧が進み、更に減圧バルブ桿７を押すのを止めると、該第二弾性部品７０の弾性回復力によって減圧バルブ桿７が上昇移動し（図９参照）、該漏止めワッシャー７１が該減圧槽２１を止める。更に該減圧バルブ桿７は上、下貫通した内通道７３（図９参照）を設置し、該内通道７３の下端は該外蓋２の減圧槽２１下方と連通し、該減圧バルブ桿７の上方はナットカバー・クッション７４を固定する（図９参照）。該容器蓋を蓋した容器１０が負圧状態になると，該ナットカバー・クッション７４は内通道７３の吸力で下向きに凹み（図１０参照）、該ナットカバー・クッション７４の下向きに凹んだことが明らかに目で見てわかり、それが負圧が形成された識別指標となってユーザーの参考となる。更に該ナットカバー・クッション７４の本体上方中間には上凸部７４１を備えることで、更に負圧識別指標効果を向上させる。
【００２４】
その他、図１、図９に示すとおり、該外蓋２に設置した減圧槽２１と該ピストン台６２の抽気槽６２２は、更に、防塵蓋８１、８２と防塵フィルター８３、８４をそれぞれ対応して設置してもよい。容器１０内の粉状内容物は密封有効期間に影響したり、使用寿命に影響したりするのを防止する。且つ各防塵蓋８１、８２と防塵フィルター８３、８４は、取り外して洗浄もしくは備品を交換する。
【００２５】
また、図１３  に示すとおり、第一実施例は上レール台５０を省いても同じ目的と効果を達成する。
【００２６】
その他、図１４  に示すとおり、第一実施例は第一弾性部品６３を省いても、同じ目的と効果を達成する。
【００２７】
更に図１５に示すのは、減圧バルブ桿７が異なる位置に設置を変え、且つ減圧バルブ桿７上方が回転部品（つまみ）１の対応設置する穿孔１２部位に位置する組立断面指示図である。そのうち該ピストン台６２は、減圧槽６２０の設置を選択でき、該ピストン台６２の減圧槽６２０は、減圧バルブ桿７に設置した漏止めワッシャー７１によって塞がれるか、もしくは外される。該減圧バルブ桿７と該ピストン台６２の減圧槽６２０の間には第二弾性部品７０を設置し、該容器蓋で蓋した容器１０の負圧状態下で減圧バルブ桿７を支持することで該漏止めワッシャー７１がピストン台６２の減圧槽６２０を塞ぎ続け、且つ該減圧バルブ桿７が下向きに押されると、該漏止めワッシャー７１とピストン台６２の減圧槽６２０間で減圧が進む。
また減圧バルブ桿７を押すのを止めると、該第二弾性部品７０の弾性回復力によって減圧バルブ桿７が上昇移動し、該漏止めワッシャー７１が該減圧槽６２０を塞ぐ。更に該減圧バルブ桿７は上、下貫通した内通道７３を設置し、該内通道７３の下端は、該ピストン台６２の減圧槽６２０下方と連通する。
更に該減圧バルブ桿７の上方は、ナットカバー・クッション７４を固定し、該容器蓋を蓋した容器１０が負圧状態になると、該ナットカバー・クッション７４は、内通道７３吸力で下向きに凹み，該ナットカバー・クッション７４が下向きに凹むのが見えると、負圧が形成された識別指標となってユーザーの参考となる。更に該ナットカバー・クッション７４の本体上方中間には更に上凸部７４１を備え、且つ該上凸部７４１はナットカバー・クッション７４本体の材質と同じでなくても良く、更に負圧識別指標効果の向上を達成する。
【実施例２】
【００２８】
図１６に示すのは、本考案の第二実施例であり、主な技術内容は第一実施例と同じである。異なる点として、第二実施例の回転部品１は、モーターモジュールである。該回転部品（モーターモジュール）１は、複数の第一固定部品（本実施例図未提示）もしくはその他接合方式で第一ガイド台４を接合する。それにより、複数の第一固定部品（本実施例図未提示）もしくはその他の方式で第一ガイド台４が回転して接合した時、接合した第一ガイド台４と第二ガイド台５に成形した複数のガイド柱４１と第一連続波形ガイドレール５１のナビゲーションによって、該第二ガイド台５が接合した抽気ピストン６１を伴い、該ピストン台６２のピストン槽６２１に相対して軸方向に上下往復運動し、ピストン台６２の抽気槽６２２を通して容器１０内の空気を抽出し，容器１０を負圧状態にする。
【００２９】
更に、該回転部品（モーターモジュール）１は、電源供給モジュール（図未提示）を電気連接し、該電源供給モジュールは、スイッチ制御モジュール（図未提示）を電気連接して回転部品（モーターモジュール）１のスタートもしくはストップを制御する。
【００３０】
第二実施例の主な特徴と技術内容は第一実施例と同じであり、異なる点は、本第二実施例の回転部品１がモーターモジュールであることだけである。故に、その他は第一実施例の内容と同じであるため、再説しない。
【００３１】
上述のとおり、本考案は以下の効果を備える。
【００３２】
回転部品１が回転する時、第一、二ガイド台４、５間の複数のガイド柱４１と第一連続波形ガイドレール５１のナビゲーションによって、抽気ピストン６１を動かし軸方向に上下往復運動し、容器１０内の空気を抽出する構造である。部品が簡単で、空間を節約するだけでなく、且つ材積が更に縮小することから、各種一般容器１０に適用し、更に小さい形状の容器にも適用し、適用範囲が広がる。
【産業上の利用可能性】
【００３３】
本考案容器蓋は、各種形状を備える容器に密封して蓋を閉じる。例として、各種形状の保存缶、保存箱、保存瓶、デカンタ（瓶）等各式容器とする。図１２に示すのは本考案の密封蓋はデカンタ（瓶）１０’に蓋した指示図である。
【００３４】
容器１０が一定の負圧程度に達した時、容器１０内に収納した食物、例としてワイン、フルーツジュース、ビスケット、果物、食材の新鮮度を延ばす、もしくは容器内に収納した物品が湿気や酸化によって壊れるのを防止する用途にも適用できる。
【符号の説明】
【００３５】
１        回転部品
１０        容器
１０’      デカンタ（瓶）
１０１        開口
１１        第一固定部品
１２        穿孔
２        外蓋
２１        減圧槽
２２        連動制限ガイド槽
３        内蓋
３０        ガスケット
３１        第二固定部品
３２        貫通孔
３３        嵌合槽
４        第一ガイド台
４１        ガイド柱
５        第二ガイド台
５０        上レール台
５０１        第二連続波形ガイドレール
５０１１        低点位置
５０１２        高点位置
５１        第一連続波形ガイドレール
５１１        低点位置
５１２        高点位置
５３        第三固定部品
６１        抽気ピストン
６１１        外環形槽
６１２        第一ゴムワッシャー
６１３        制限凸
６２        ピストン台
６２０        減圧槽
６２１        ピストン槽
６２２        抽気槽
６３        第一弾性部品
６４        チェックバルブ
６５        第二ゴムワッシャー
７        減圧バルブ桿
７０        第二弾性部品
７１        漏止めワッシャー
７３        内通道
７４        ナットカバー・クッション
７４１        上凸部
８１        防塵蓋
８２        防塵蓋
８３        防塵フィルター
８４        防塵フィルター
【図１】
0003211110.tif 000003
【図２】
0003211110.tif 000004
【図３】
0003211110.tif 000005
【図４】
0003211110.tif 000006
【図５】
0003211110.tif 000007
【図６】
0003211110.tif 000008
【図７】
0003211110.tif 000009
【図８】
0003211110.tif 000010
【図９】
0003211110.tif 000011
【図１０】
0003211110.tif 000012
【図１１】
0003211110.tif 000013
【図１２】
0003211110.tif 000014
【図１３】
0003211110.tif 000015
【図１４】
0003211110.tif 000016
【図１５】
0003211110.tif 000017
【図１６】
0003211110.tif 000018